(57)【特許請求の範囲】
【請求項１】
コンクリート構造物の表面を移動可能な移動体ユニットと補修ユニットからなるひび割れの補修用装置であって、
前記移動体ユニットは、構造物の表面に吸着しながら移動可能とするための減圧吸着機構を備えており、
前記補修ユニットは、制御部と補修部を備えており、
前記制御部は、少なくとも電源ユニットと、制御用コンピュータと、補修材供給ユニットを有し、
前記補修部は、構造物の表面を視認させるためのカメラと、補修材吐出ノズルと、塗布機構と、補修材の垂れを防止するスキージとを備えた塗布ユニットと、
該塗布ユニットを構造物の表面に対して、前記移動体ユニットによる移動とは別に、Ｘ軸、Ｙ軸、Ｚ軸方向に移動させるための塗布ユニット駆動機構を有し、
前記塗布ユニットの前記塗布機構と前記スキージは、壁面に対してＺ軸方向に移動可能に設けられ、
前記塗布ユニット駆動機構は、前記移動体ユニットの移動時の進行方向に対して左右何れかの側部に設けられ、
前記制御用コンピュータの制御により、前記塗布ユニットを所定の補修対象に移動させるとともに、前記カメラで視認しながら、前記補修材吐出ノズルから補修材を吐出させて、塗布機構により補修させることを特徴とする補修用装置。
【請求項２】
前記塗布機構が、塗布ローラーを備えていることを特徴とする請求項１に記載の補修用装置。
【請求項３】
前記塗布機構が、チューブ絞り装置又はスプレー吹付け装置を備えていることを特徴とする請求項１項に記載の補修用装置。
【請求項４】
前記移動体ユニットの前記減圧吸着機構が、少なくとも天板部、弾性転がりシール及びブロワーを備えていることを特徴とする請求項１から３のいずれか一項に記載の補修用装置。
【請求項５】
前記移動体ユニットが構造物の略垂直面に吸着した状態において、重力による回転モーメントにより前記移動体ユニットの上部が構造物の表面から脱落するのを防止するための支持アームが設けられていることを特徴とする請求項１から４のいずれか一項に記載の補修用装置。
【請求項６】
前記移動体ユニットの移動時の進行方向に対して前記補修部が取り付けられた側と反対側側面に、前記補修部による前記移動体ユニットへの偏荷重を打ち消すためのカウンターウェイトが設けられていることを特徴とする請求項１から５のいずれか一項に記載の補修用装置。
【請求項７】
前記制御部には、無線により補修ユニットの動作制御を行うための無線通信モジュールが設けられていることを特徴とする請求項１から６のいずれか一項に記載の補修用装置。
【請求項８】
移動体ユニットと補修ユニット及び、該補修ユニットの制御部と補修部の各々が着脱可能に接続されていることを特徴とする請求項１から７のいずれか一項に記載の補修用装置。
【請求項９】
請求項１から８のいずれかに記載の補修用装置を用いた補修方法であって、
前記移動体ユニットの動作と前記塗布ユニット駆動機構の動作により、前記補修ユニットの補修部を補修対象に移動させる移動工程と、
前記塗布ユニット駆動機構の動作によりスキージを壁面に対してＺ軸方向に移動させて壁面に押し付けるスタンバイ工程と、
前記カメラにより補修対象を視認しつつ、前記補修材供給ユニットの動作により前記補修材吐出ノズルから補修材を吐出させ、前記塗布ユニット駆動機構の動作及び前記塗布機構により補修材を塗布する補修工程を有することを特徴とする補修方法。
【請求項１０】
構造物の表面の少なくとも一箇所に予め基準点となるターゲットを取り付けておくとともに、前記塗布ユニットにターゲットを取り付け、各々のターゲットが視準可能な位置に基準点としての自動追尾測距測角儀を配設し、該自動追尾測距測角儀からの構造物表面の基準となるターゲット及び前記塗布ユニットのターゲットの方向及び距離から、前記塗布ユニットの位置を三次元データとして検出あるいは/および記録することを特徴とする請求項９に記載の補修方法。
【請求項１１】
構造物の表面の少なくとも一箇所に予め基準点となるターゲットを取り付けておくとともに前記塗布ユニットに直立するように設けた所定の長さのポールの先端部に、ターゲットを取り付けておき、補修用装置にＺ軸傾斜計あるいは/また、Ｘ軸あるいはＹ軸方向に対する方位角センサーあるいは水平方向用の角度センサーを取り付けておき、各々の前記ターゲットが視認可能な位置を基準点として自動追尾測距測角儀を配設し、構造物表面の基準点であるターゲットからの前記塗布ユニットのターゲットの方向及び距離と、補修用装置のＺ軸に対する傾斜の値、あるいは/また、補修用装置のＸ軸あるいはＹ軸に対する角度の値から、前記塗布ユニットの位置を三次元データとして検出あるいは/および記録することを特徴とする請求項９に記載の補修方法。
【請求項１２】
予め補修対象の第１の位置データを取得しておくとともに、請求項１０又は１１に記載の位置データの検出方法により前記補修対象の第２の位置データを取得しておき、前記第１の位置データと前記第２の位置データとを照合し、前記補修対象に対して自動的に前記移動工程、前記スタンバイ工程及び前記補修工程を実行させることを特徴とする請求項９に記載の補修方法。
【発明の詳細な説明】
【技術分野】
【０００１】
本発明は、コンクリート構造物等の壁面を補修するために用いられる補修用装置及びそれを用いた補修方法に関する。
【背景技術】
【０００２】
日本の高度経済成長期以降、トンネル、ダム、橋等の土木構造物やビル等の建築構造物が数多く建造されてきたが、近年、これらの土木構造物、建築構造物等の老朽化が進行しており、これに伴う補修のニーズが高まっている。
【０００３】
また、化学品製造や、発電等の各種プラントについても、建屋、建屋内のタンク、配管等の長期に亘る使用による老朽化が進行しており、補修等のメンテナンスが不可欠とされている。
【０００４】
一方、これら土木構造物、建築構造物やプラント等の補修は、高所での補修作業が一般的であるため非常に危険を伴い、また、施設によっては、放射能等の汚染物質により人の立ち入りが制限されたり、立ち入りが困難な場所も存在する。そこで、このような場所での補修作業を安全に行うために、これまでに、遠隔操作による補修作業等の実施が可能な作業装置が提案されている（例えば、特許文献１、２を参照）。
【０００５】
例えば、特許文献１の提案は、面体に吸着し、且つ面体に沿って移動しながら塗装が可能な吸着自走式塗装装置に関するものであり、塗料吐出管の孔から吐出された塗料をローラ外周面に導出させて、面体の塗装を行うこと、また、塗装ローラと塗装ローラの間に設けた塗装ハケの表面に、ハケ用塗料吐出管の孔から吐出させた塗料を導出し、面体に押し付けて塗装を行うことが可能な吸着自走式塗装装置が記載されている。
【０００６】
また、特許文献２の提案は、アーム先端に取り付けられた塗装用ノズルを備えた塗装ユニットと、この塗装ユニットが搭載された移動体からなる塗装装置に関するものであり、移動体が永久磁石により被塗装面に吸着する構成が記載されている。
【先行技術文献】
【特許文献】
【０００７】
【特許文献１】特開昭６１−１１１１６５号公報
【特許文献２】特開２０１１−２４０３１５号公報
【発明の概要】
【発明が解決しようとする課題】
【０００８】
ここで、上記特許文献１、２の提案の装置は、広範囲に亘る比較的広い範囲を塗装することを目的としているため、例えば、範囲の狭いひび割れ等の補修箇所をピンポイントで塗装、補修することや、非直線的な線形のひび割れ線に沿って塗装、補修することは困難であった。
【０００９】
また、特許文献１の提案では、吸着自走式塗装装置で壁面を塗装する場合、上方からワイヤ一等で装置を吊りながら壁にセットする場合を除き、通常、地上で壁の低い位置に装置を吸着セットして、その後壁に沿って上向きに走行させながら塗装するとしている。しかしながら、この場合、塗装した塗料が下方に垂れたり、走行が進むに従って、塗料が装置の吸着部に入り込み、装置の故障の原因となったり、塗装表面の塗料が剥がれて適切に塗装できないという問題があった。
【００１０】
また、特許文献２においては、塗装装置を永久磁石により吸着させ、自走させながらビルや船舶の内外壁面をスプレー塗装する構造であるため、塗装する壁面は磁石が吸着する材質でなければ使用できなかったり、壁面の材質によっては吸着力が安定せず落下する危険性があった。
【００１１】
さらに、真空吸着新式の移動体にこの塗装装置を搭載した場合、圧送タンク等の重量物の重みや、スライダーやアームが移動するために生じる重心の移動に伴い、壁面に平行な回転モーメントが増加し、移動体本体の壁面への吸着力が不足して、塗装装置を搭載した移動体が落下する虞もあった。
【００１２】
本発明は、以上のような事情に鑑みてなされたものであり、垂直の壁面も安定して走行しながら補修できるとともに、補修対象を自らの装置で邪魔することなく、壁面のどのような補修箇所もピンポイントで補修可能であり、補修時には、補修材が下方に垂れるのを防止でき、補修した補修箇所の検出及び記録が可能な補修用装置及びそれを用いた補修方法を提供とすることを課題としている。
【課題を解決するための手段】
【００１３】
本発明は、上記の技術的課題を解決するためになされたものであって、以下のことを特徴としている。
第１に、構造物の表面を移動可能な移動体ユニットと補修ユニットからなる補修用装置であって、
前記移動体ユニットは、構造物の表面に吸着しながら移動可能とするための減圧吸着機構を備えており、
前記補修ユニットは、制御部と補修部を備えており、
前記制御部は、少なくとも電源ユニットと、制御用コンピュータと、補修材供給ユニットを有し、
前記補修部は、構造物の表面を視認させるためのカメラと、補修材吐出ノズルと、塗布機構とを備えた塗布ユニットと、
該塗布ユニットを構造物の表面に対してＸ軸、Ｙ軸、Ｚ軸方向に移動させるための塗布ユニット駆動機構を有し、
前記塗布ユニット駆動機構は、前記移動体ユニットの移動時の進行方向に対して左右何れかの側部に設けられ、
前記制御用コンピュータの制御により、前記塗布ユニットを所定の補修対象に移動させるとともに、前記カメラで視認しながら、前記補修材吐出ノズルから補修材を吐出させて、塗布機構により補修させることを特徴としている。
第２に、上記第１の発明の補修用装置において、前記塗布機構が、塗布ローラーを備えていることが好ましい。
第３に、上記第１又は第２の発明の補修用装置において、前記塗布機構が、チューブ絞り装置又はスプレー吹付け装置を備えていることが好ましい。
第４に、上記第１から第３の発明の補修用装置において、前記塗布ユニットには、補修材の垂れを防止するスキージが設けられていることが好ましい。
第５に、上記第１から第４の発明の補修用装置において、前記移動体ユニットの前記減圧吸着機構が、少なくとも天板部、弾性転がりシール及びブロワーを備えることが好ましい。
第６に、上記第５の発明の補修用装置において、前記移動体ユニットが構造物の略垂直面に吸着した状態において、重力による回転モーメントにより前記移動体ユニットの上部が構造物の表面から脱落するのを防止するための支持アームが設けられていることが好ましい。
第７に、上記第１から第６の発明の補修用装置において、前記移動体ユニットの移動時の進行方向に対して前記補修部が取り付けられた側と反対側側面に、前記補修部による前記移動体ユニットへの偏荷重を打ち消すためのカウンターウェイトが設けられていることが好ましい。
第８に、上記第１から第７の発明の補修用装置において、前記制御部には、無線により補修ユニットの動作制御を行うための無線通信モジュールが設けられていることが好ましい。
第９に、上記第１から第８の発明の補修用装置において、移動体ユニットと補修ユニット及び、該補修ユニットの制御部と補修部の各々が着脱可能に接続されていることが好ましい。
第１０に、上記第１から第９のいずれかに記載の発明の補修用装置を用いた補修方法であって、
前記移動体ユニットの動作と前記塗布ユニット駆動機構の動作により、前記補修ユニットの補修部を補修対象に移動させる移動工程と、
前記塗布ユニット駆動機構の動作によりスキージを壁面に押し付けるスタンバイ工程と、
前記カメラにより補修対象を視認しつつ、前記補修材供給ユニットの動作により前記補修材吐出ノズルから補修材を吐出させ、前記塗布ユニット駆動機構の動作及び前記塗布機構により補修材を塗布する補修工程を有することを特徴とを特徴としている。
第１１に、上記第１０の発明の補修方法において、構造物の表面の少なくとも一箇所に予め基準点となるターゲットを取り付けておくとともに、前記塗布ユニットにターゲットを取り付け、各々のターゲットが視準可能な位置に基準点としての自動追尾測距測角儀を配設し、該自動追尾測距測角儀からの構造物表面の基準となるターゲット及び前記塗布ユニットのターゲットの方向及び距離から、前記塗布ユニットの位置を三次元データとして検出あるいは/および記録することが好ましい。
第１２に、上記第１０の発明の補修方法において、構造物の表面の少なくとも一箇所に予め基準点となるターゲットを取り付けておくとともに前記塗布ユニットに直立するように設けた所定の長さのポールの先端部に、ターゲットを取り付けておき、補修用装置にＺ軸傾斜計あるいは/また、Ｘ軸あるいはＹ軸方向に対する方位角センサーあるいは水平方向用の角度センサーを取り付けておき、各々の前記ターゲットが視認可能な位置を基準点として自動追尾測距測角儀を配設し、構造物表面の基準点であるターゲットからの前記塗布ユニットのターゲットの方向及び距離と、補修用装置のＺ軸に対する傾斜の値、あるいは/また、補修用装置のＸ軸あるいはＹ軸に対する角度の値から、前記塗布ユニットの位置を三次元データとして検出あるいは/および記録することが好ましい。
第１３に、上記第１０の発明の補修方法において、予め補修対象の第１の位置データを取得しておくとともに、上記第１１から第１２に記載の発明の位置データの検出方法により前記補修対象の第２の位置データを取得しておき、前記第１の位置データと前記第２の位置データとを照合し、前記補修対象に対して自動的に前記移動工程、前記スタンバイ工程及び前記補修工程を実行させることが好ましい。
【発明の効果】
【００１４】
本発明の補修用装置によれば、壁面に吸着し、安定して走行させながら補修できるとともに、吸着面が塗装表面の塗料を剥がしたり、装置に塗料が付着したりしないように塗装でき、さらに、塗布した補修材が壁から下方に垂れるのを防止することができ、作業性が良好で、かつ効率的な壁面等の補修が可能となる。
また、本発明の補修用装置を用いた補修方法によれば、補修対象に対してピンポイントの確実な補修が可能となり、予め補修対象の位置データを取得しておくことにより、自動で補修を行うことができる。また、補修が完了した位置を検出して、位置データとして記録、管理することが可能となる。
【図面の簡単な説明】
【００１５】
【図１】本発明の補修用装置の実施形態を示す斜視図である。
【図２】移動体ユニットの一実施形態を示す斜視図である。
【図３】本発明の補修用装置の実施形態を示す概略図であり、（ａ）は平面図、（ｂ）は正面図である。
【図４】（ａ）は制御部の斜視図であり、（ｂ）は補修部の斜視図である。
【図５】（ａ）は、補修材供給ユニットの実施形態を示す斜視図であり、（ｂ）は、補修部における塗布機構に塗布ローラーを用いた実施形態を示す斜視図である。
【図６】塗布機構のカメラからの映像を示す写真である。
【図７】制御部にカウンターウェイトを装着した状態を示す上面図である。
【図８】脱落防止用の支持アームが設けられた補修用装置が、壁面に吸着している状態を示す写真である。
【図９】（ａ）は、補修部における塗布機構にチューブ状容器を用いた実施形態を示す斜視図であり、（ｂ）は、補修部における塗布機構にスプレー缶を用いた実施形態を示す斜視図である。
【図１０】本発明の補修用装置を用いた補修方法の実施形態を示すフロー図である。
【図１１】位置検出方法の実施形態を示す概略説明図であり、塗布部の位置検出方法のトータルステーションからターゲットまでの位置を検出する方法を示した概略図である。
【図１２】ポールを取り付ける位置を塗布ローラーのローラーシャフトやカメラの位置のＸ、Ｚからずれて取り付けた場合で、補修用装置が斜めに傾いた状態で補修する場合に測量している概略図である。
【図１３】図１２の場合のローラーの位置Ｘ、Ｙ、Ｚを求めるときの説明図である。
【図１４】位置検出による位置データを用いた自動補修方法の実施形態を示すフロー図である。
【発明を実施するための形態】
【００１６】
本発明の補修用装置について図面に基づいて以下に詳述する。図１は、本発明の補修用装置の一実施形態を示す斜視図であり、図２は、移動体ユニットの一実施形態を示す斜視図、図３は、本発明の補修用装置の実施形態を示す概略図であり、図４は、制御部の構成部を示す斜視図、図５は補修部における塗布機構の一実施形態を示す斜視図である。
【００１７】
本発明の補修用装置１は、構造物の表面を移動可能な移動体ユニット２と、これに固定される補修ユニット３からなり、補修ユニット３は、制御部４と補修部５とから構成されている。
【００１８】
移動体ユニット２は、水平面、傾斜面、垂直面等、種々の条件の壁面に対して、減圧の力すなわち負圧によって壁面に密着した状態で移動可能な表面密着型移動装置である。具体的には、図２に示すように、天板部２１と弾性転がりシール２２及びブロワー２３からなる減圧吸着機構、また、これらを駆動させるための本体内部に収納されたコントロールユニット及び電気供給ユニットを備えている。
【００１９】
減圧吸着機構は、壁面と接触した状態で減圧チャンバ―を形成し、ブロワー２３の作動により減圧チャンバ―内を減圧させて、移動体ユニット２を壁面に強力に吸着させる。また、弾性転がりシール２２は、内蔵された駆動用モーターにより駆動し、移動体ユニット２を壁面に吸着した状態で、壁面上の多少の障害物を乗り越えて滑らかに移動させることができる。
【００２０】
本体内部に収納されたコントロールユニットは、少なくとも弾性転がりシール２２及びブロワー２３の動作を外部からコントロールするために設けられるものであり、コントロールユニットに接続された長尺の電源ケーブル２４を介して、外部のＰＣや携帯端末等の操作ユニット、また、これらに接続されたジョイスティック等のコントローラーにより移動体ユニット２をコントロールすることができる。
【００２１】
本体内部に収納された電気供給ユニットは、少なくとも弾性転がりシール２２及びブロワー２３に電気を供給するものであり、コントロール用のケーブルを含む長尺の電源ケーブル２４を用いて外部から電気を供給したり、電気供給ユニット内に設けられた蓄電池等から電気を供給することもできる。電源ケーブル２４により外部から交流電流を供給する場合には、電気供給ユニットにＡＣ−ＤＣコンバータを設け、変換された直流電流により移動体ユニット２の各モーター類を駆動制御することができる。上記のような移動体ユニット２としては、例えば、特許第４６５４１８９号に示されるような、減圧力によって壁面表面に吸着する移動体ユニットを例示することができる。
【００２２】
補修ユニット３は、壁面の所定の補修対象に対して正確に補修材を塗布するための機構を有しており、移動体ユニット２の上部に着脱可能に接続されている。なお、本明細書の記載において「補修対象」とは、コンクリート壁面のひび割れやその他の劣化、変色、また、壁面に設けられた金属製部材や金属製壁面における錆、腐食、変色等を意味する。また、「補修材」とは、無機系、有機系、セメント系、ポリマーセメント系、樹脂系等の材料で、注入材、コーキング材、塗料、表面被覆材、防錆剤、含浸材、接着剤等を意味する。
【００２３】
補修ユニット３は、制御部４と補修部５から構成されており、制御部４は、図１、図２〜図６に示すように、補修材供給ユニット４３、制御用コンピュータ４２、電源ユニット４１を備えている。また、補修部５は、カメラ６１、補修材吐出ノズル６２、塗布機構６３とを有する塗布ユニット６と、塗布ユニット６の位置を調整するための塗布ユニット駆動機構７を備えている。
【００２４】
制御部４の補修材供給ユニット４３は、補修材を収容するための収容部４３１と、収容部４３１内の補修材を所定量供給するための供給機構４３２を有している。図３に示す実施形態の補修材供給ユニット４３では、収容部４３１がシリンジになっており、供給機構４３２の動作によりシリンジの押子を規定量押し込み、シリンジ内に収容されている補修材をチューブを通して補修部５に供給するようになっている。
【００２５】
制御用コンピュータ４２は、補修材供給ユニット４３及び補修部５の各構成ユニットの動作を制御するためのものであり、制御用コンピュータ４２に設けられた無線通信装置等により外部から無線操作をすることができる。制御用コンピュータ４２に設けられる無線通信装置としては、近距離無線通信機器を挙げることができ、具体的な通信方式としては、例えば、ＷｉＦｉ（登録商標）等の無線ＬＡＮ、Ｂｌｕｅｔｏｏｔｈ（登録商標）、ＬＥ（Bluetooth Low Energy（登録商標））、Ｚｉｇｂｅｅ（登録商標）等のＷＰＡＮ（Wireless Personal Area Network）、ＮＦＣ（Near Field Communication）等の近接場型無線通信を例示することができる。
【００２６】
電源ユニット４１は、補修材供給ユニット４３、制御用コンピュータ４２及び補修部５の各構成ユニットに電気を供給するためのものであり、移動体ユニット２に設けられた電気供給ユニットから、或いは、独自に備える二次電池等から各ユニットに電気を供給する。また、電源ユニット４１は、各ユニットに供給するための電圧に変換するコンバータを備えており、コンバータのコネクタからケーブルを介して補修材供給ユニット４３、制御用コンピュータ４２及び補修部５等の各構成ユニットに電気が供給される。
【００２７】
また、本実施形態の制御部４には、他の構成要素として、制御部４を移動体ユニット２に装着させるための取付ブラケット４４、補修装置１を壁面へ吸着させるときに手で支持するための取手４５、ケーブルが絡まないように留めるためのケーブルガイドポール４６、移動体ユニット２のブロワー２３から排出される排気に対する制御用コンピュータ４２保護用の排気ガード４７等が設けられている。そして、上記の各構成要素は、制御部４の構造強度上の骨格となるベースプレート４８に固定されている。
【００２８】
補修部５の塗布ユニット６は、カメラ６１、補修材吐出ノズル６２及び塗布機構６３を備えている。図４（ｂ）、５、６に示す実施形態では、塗布機構６３は塗布ローラー６３１であり、塗布ローラー６３１の進行方向前方側には、補修材供給ユニット４３からのチューブに接続された補修材吐出ノズル６２が設けられている。また、塗布ローラー６３１上部にはカメラ６１が配設されており、図６に示すように、塗布ローラー６３１と補修材吐出ノズル６２及び壁面の補修対象が視認できるようになっている。そして、補修材供給ユニット４３に接続された補修材吐出ノズル６２から吐出された補修材が塗布ローラー６３１により壁面の補修対象に塗布されるようになっている。
また、塗布ユニット６には照明装置を設けることができる。照明装置は、塗布ローラー６３１と塗布対象をカメラ６１により視認できる位置を照らすように設けられる。これにより、カメラ６１の映像が見えにくい暗所を塗布する場合でも塗布対象をはっきりと視認することが可能となる。
【００２９】
さらに、塗布ユニット６にはスキージ６４を設けることができる。スキージ６４は、その位置が塗布ローラー６３１の下方側となるように設けられ、例えば、垂直の壁面を登りながら補修する際に壁面に密着し、補修材の流れを受け止めて垂れを防止するとともに、補修材をひび割れに寄せ集め、且つ補修材を平滑に均すことができる。スキージ６４の形状は、補修材を的確に受け止められれば特に限定されるものではないが、通常、一方の側が開口する上面視Ｖ字状や上面視Ｕ字状が例示される。また、スキージ６４は回転制御可能に設けることができる。例えば、制御部４の制御用コンピュータ４２や塗布ユニット６に加速度センサを設け、制御用モーターにより重力に対して常に上方に開口するように制御することができる。これにより、例えば、塗布ローラー６３１が重力に対して横方向に移動して塗布する場合であっても、スキージ６４の開口は塗布ローラー６３１の下方に位置して上方を向くため、補修材の垂れを抑制することができる。
【００３０】
また、塗布ユニット６は、塗布ユニット駆動機構７に接続されており、塗布ユニット駆動機構７の動作により構造物の壁面に対してＸ軸、Ｙ軸、Ｚ軸方向に移動可能になっている。本実施形態の塗布ユニット駆動機構７では、補修用装置１の進行方向をＹ軸、幅方向をＸ軸、壁面に対して垂直方向をＺ軸として、Ｘ軸方向の動作、Ｙ軸方向の動作、Ｚ軸方向の動作ともベルト駆動としている。また、塗布ユニット６のＺ軸方向の接続については、塗布機構６３及びスキージ６４を壁面に対して適切な強度で密着させるために、スプリング６５を介して接続されている。
【００３１】
また、本実施形態の補修部５には、他の構成要素として、補修用装置１を壁面へ吸着させるときやメンテナンス時に補修部５を手で保持するための取手５１、ケーブルを保持しながら動くケーブルキャリア５２、ケーブルを保持するためのケーブルクランプバー５３等が設けられている。そして、上記の塗布ユニット駆動機構７の各構成要素は、補修部５の構造強度上の骨格となるベースプレート５４に固定されている。
【００３２】
塗布ユニット駆動機構７の動作は、制御部４の制御用コンピュータ４２により、予めプログラムされた命令に従い、或いは、制御用コンピュータ４２を介して外部からの操作により行われる。
【００３３】
また、塗布ユニット駆動機構７は、移動体ユニット２の移動時の進行方向に対して左右何れかの側部に設けられている。図１、図３に示す実施形態では、塗布ユニット駆動機構７は移動体ユニット２の進行方向に対して左側に設けられている。塗布ユニット駆動機構７を進行方向の左右何れかの位置に設けることにより、移動体ユニット２の移動により補修個所を踏むことなく、さらに、壁面の下端部から上端部に亘って死角なく補修することが可能となる。
【００３４】
なお、本発明の補修用装置１においては、図７に示すように、塗布ユニット駆動機構７が取り付けられた側に対して反対側側面に、カウンターウェイト８１を設けるのが好ましい。カウンターウェイト８１を設けることにより、塗布ユニット駆動機構７による移動体ユニット２への偏荷重を打ち消すことができるため、移動体ユニット２の移動を安定化できるとともに、塗布ユニット６の位置合わせを正確に行うことが可能となる。
【００３５】
本発明の補修用装置１は、壁面に吸着するとともに、使用環境によっては重力に逆らって移動しながら補修作業を行うため、各構成部材は強度を有しつつ可能な限り軽量であることが好ましい。具体的には、例えば、アルミ製部材やプラスチック製部材を多用することが望ましい。
【００３６】
また、本発明の補修用装置１においては、移動体ユニット２が構造物の略垂直面に吸着した状態において、重力による回転モーメントにより移動体ユニット２の上部が構造物の表面から脱落するのを防止するための支持アーム８２を設けることが好ましい。
【００３７】
支持アーム８２は、図８に示すように、移動体ユニット２の進行方向に対して後部側に設けられる。また、壁面と接するアーム端部にはキャスター８３を設けることができる。これにより、補修用装置１の脱落を防止するとともに、移動体ユニット２をスムーズに移動させることができる。
【００３８】
以上、実施形態に基づき本発明の補修用装置１を説明したが、本発明は上記の実施形態に何ら限定されるものではなく、その要旨を逸脱しない範囲内において各種の変更が可能である。
【００３９】
例えば、上記実施形態では、移動体ユニット２のコントロールをケーブルを介してコントローラにより行っているが、補修ユニット３の制御部４に設けられた制御用コンピュータ４２を介して無線によりコントロールすることができる。
【００４０】
また、上記実施形態では、移動体ユニット２と補修ユニット３、また、補修ユニット３の制御部４と補修部５の各々は、メンテナンス性や保管、現場までの輸送利便性等を考慮して分割したアタッチメントとして各々を着脱可能の接続しているが、これらを一体として構成することもできる。
【００４１】
さらに、上記実施形態では、制御部４の補修材供給ユニット４３の収容部４３１をシリンジとして補修材を収容し、塗布機構６３を塗布ローラー６３１として、補修材吐出ノズル６２から補修材を吐出するようにしているが、シリンジをコーキングガンにしたり（図示せず）、塗布機構６３を塗布ローラー６３１に替えてチューブ状容器６３２を取り付け、チューブ状容器６３２から直接補修箇所にチューブ内の補修材を塗布するようにしたり、スプレー缶６３３を取り付け、スプレー缶６３３から直接補修箇所に向けてスプレー缶６３３内の補修材を噴射するようにしてもよい。チューブ状容器６３２やスプレー缶６３３を用いて塗布する場合は、垂れにくい補修材を使用することにより垂直面の他、橋梁の橋桁下面やダムのオーバーハング等の補修もできる。
【００４２】
図９（ａ）は、塗布機構としてチューブ状容器６３２から補修材を塗布する実施形態であり、チューブ状容器６３２をチューブ絞り装置６６に取り付けてバンドでセットし、チューブ絞り装置６６に設置されているチューブ絞りローラー６６１により補修材をチューブ状容器６３２から絞り出して、壁面の補修対象に塗布する。また、チューブ状容器６３２の上部にはカメラ６１が配設されており、チューブ絞りローラー６６１により補修材をチューブ状容器６３２から絞り出し、吐出の状況及び壁面の補修対象が視認できるようになっている。また、塗布ユニット６には同様にスキージ６４を設けることができる。
【００４３】
図９（ｂ）は、塗布機構としてスプレー缶６３３から補修材を塗布する実施形態であり、スプレー缶６３３をスプレー吹付け装置６７に取付けてバンドでセットし、スプレー吹付け装置６７に設けられた自動噴霧装置部６７１によりスプレー缶６３３のスプレーヘッドを押し補修材をノズルから噴霧して壁面の補修対象に塗布する。また、スプレー缶６３３の上部にはカメラ６１が配設されており、スプレー缶６３３のノズルから補修材が噴射されている状況及び壁面の補修対象が視認できるようになっている。また、塗布ユニットには同様にスキージ６４を設けることができる。
【００４４】
以下、上記本発明の補修用装置１を用いた補修方法の実施形態について詳述する。
【００４５】
本発明の補修方法は、上記本発明の補修用装置１を用いた補修方法であり、少なくとも、補修ユニット３の補修部５を補修対象に移動させる移動工程、スキージ６４を壁面に押し付けるスタンバイ工程、補修材吐出ノズル６２から補修材を吐出させて塗布する補修工程を有している。
【００４６】
本発明の補修方法の一実施形態を図１０のフロー図を用いて詳述する。本実施形態の補修方法では、塗布機構６３を塗布ローラー６３１とし、補修対象として垂直のコンクリート壁面のひび割れを補修する補修方法を示している。
【００４７】
まず、補修用装置１の制御部４の補修材供給ユニット４３に、収容部４３１として補修材を充填したシリンジをセットした後、移動体ユニット２の減圧吸着機構を作動させて、補修用装置１を垂直の壁面に吸着させてセットする（Ｓ−１）。そして、この状態でホーミングしてゼロ点とする（Ｓ−２）。
【００４８】
次に、移動工程として、移動体ユニット２を操作して、補修対象のひび割れの補修箇所に移動させる（Ｓ−３）。続けてカメラ６１からの画像を見ながら、塗布ユニット駆動機構７のＸ軸方向、Ｙ軸方向の操作により塗布ユニット６を微調整してひび割れに移動させ、この位置に塗布ユニット６をセットする（Ｓ−４）。これらの操作は、コンピュータの通信装置を介して無線通信によりＰＣ等から行う。
【００４９】
次に、スタンバイ工程として、その状態で塗布ユニット駆動機構７のＺ軸方向の操作により、塗布ユニット６のスキージ６４及び塗布ローラー６３１を壁面に押し付ける（Ｓ−５）。なお、スキージ６４には、スキージ６４が壁面に接触したのを検出するスキージ接地検出センサと、スキージ６４が壁面に対して１０ｍｍ程度上下追従可動になるようにスプリング６５が取り付けられており、スキージ６４の位置の移動により、スキージ６４と構造上一体に構成された塗布ローラー６３１もＺ方向に移動する。スキージ６４の設定位置への移動は、スキージ６４が構造物表面に当たってスプリング６５が５ｍｍ程度縮んだら設置を検出したと判断する。スプリング６５による上下追従可動距離と、設置したと検出するスプリング６５の縮み量は適宜設定することができる。
【００５０】
次に、補修工程として、補修材吐出ノズル６２から補修材を吐出させて塗布する。具体的には、図６に示すように、カメラ６１からの映像を確認しながら、コントローラーにより補修材供給ユニット４３にセットされたシリンジの押子を操作して補修材吐出ノズル６２から補修材を吐出させる（Ｓ−６）。そして、塗布ユニット駆動機構７のＸ軸方向、Ｙ軸方向の操作により補修材を塗布ローラー６３１に馴染ませる（Ｓ−７）。
【００５１】
そして、さらに塗布ユニット駆動機構７を操作して、塗布ローラー６３１により補修材をひび割れに塗布する（Ｓ−８）。この際、過剰に吐出した補修材はスキージ６４により集められ、また、移動に伴ってひび割れに対してより浸透させる。
【００５２】
上記の操作により、塗布ユニット駆動機構７のＸ軸方向、Ｙ軸方向の可動範囲内の一度目の塗布が完了した段階で、塗布ユニット６のスキージ６４及び塗布ローラー６３１を壁面から離し、必要に応じて初期設定したゼロ点に塗布ユニット６を戻して、再度塗布作業を繰り返す。
【００５３】
そして、その塗布ユニット駆動機構７の可動範囲の補修が完了してから、上記移動工程、スタンバイ工程、及び補修工程を繰り返す（Ｓ−９）。これにより、本実施形態の補修方法による補修は完了する。
【００５４】
本発明の補修方法によれば、カメラ６１からの映像により、目視した状態で補修対象を把握しながら補修対象に対して正確に補修材を導入することができ、さらに塗布ローラー６３１及びスキージ６４により補修材を補修対象に塗布することができるため、補修材の垂れがなく、正確かつ均一に補修を完了させることができる。
【００５５】
また、本発明の補修方法では、補修が完了した箇所を正確に把握、管理するために、上記補修工程における塗布ユニット６の位置を検出して記録することができる。
【００５６】
そのための補修方法としては、例えば、塗布ユニット６及び構造物の表面の少なくとも一箇所に予め基準点としてターゲット９１ａを設置しておき、塗布ユニット６の少なくとも一箇所にもターゲット９１ｂを設置しておく。そして、各々のターゲット９１ａ、９１ｂが視認可能な位置に自動追尾測距測角儀を配設し、この自動追尾測距測角儀の位置をもう一つの基準点として、該自動追尾測距測角儀により、上記補修工程における塗布ユニット６の位置を検出して記録する方法を例示することができる。
【００５７】
具体的には、例えば、図１１に示すように、橋梁の橋脚の壁面の補修を行う場合、壁面の少なくとも１箇所に、基準点としてプリズム等のターゲット９１ａを取り付けておくとともに、塗布用装置にプリズム等のターゲット９１ｂを取り付けておく。図１１の実施形態では、壁面に基準点として１箇所、塗布用装置に１箇所シートプリズムを取り付けている。
【００５８】
そして、上記ターゲット９１ａ、９１ｂを視認できる場所に自動追尾式測距測角儀９を据え付けて、この自動追尾式測距測角儀９の位置をもう一つの基準点として、自動追尾式測距測角儀９からターゲット９１ａ、９１ｂまでの方向及び距離を測定し、塗布機構６３の位置を特定する。この測定を連続的又は所定の単位時間毎に行うことにより、補修の実施箇所を正確に検出して記録することができる。
【００５９】
塗布用装置に取り付けるターゲット９１ｂは、塗布機構６３の塗布ローラー６３１のローラーシャフト又はカメラ等の所定の位置に取り付けるか、あるいはローラーシャフト又はカメラ等に所定の長さのポールを設置し、その先端部に取り付ける。そして、ターゲットの位置（Ｘ、Ｙ、Ｚ）を検出する。上記の条件でポールを設置する場合には、所定の長さのポールは、塗布用装置に底面に対して垂直、即ち、壁面に対して垂直に取り付けられているので、ローラの位置のＸ、Ｙは、ポールの先端部のターゲット９１ｂの位置のＸ、Ｙの値と一致し、Ｚは基準点のターゲット９１ａのＺの値と一致する。
【００６０】
また、他の実施形態として、図１２、図１３に示すように、自動追尾式トータルステーション９から視認させるうえで、構造上ポール（ターゲット９１ｂ）を取り付ける位置を塗布ローラーからずれて取り付ける場合には、ローラーシャフトやカメラの位置のＸ、Ｙと、ターゲット９１ｂの座標のずれを補正するために、補修用装置にＹ軸傾斜計を取り付けておく。例えば、補修用装置が垂直の状態でなく斜めに傾いた状態で補修する場合の補修位置を検出する場合、ローラーとポールの位置関係は事前にわかっているので、ローラーとポール（ターゲット９１ｂ）との距離ｌ０、ローラーから補修装置前方への垂直方向とポールとのずれ角をθ０とし、ターゲット測定点をＸ１、Ｙ１、Ｚ１とした場合、ローラーの位置Ｘ、Ｙ、ＺはＸ＝Ｘ１±ｌ０Ｃｏｓ（θ０＋θ）、Ｙ＝Ｙ１±ｌ０ＳｉｎＮ（θ０＋θ）、Ｚ＝０で求めることができる。
【００６１】
橋梁の橋桁の下面の補修を行う場合も、橋脚の壁面の補修を行う場合と同様に、塗布用装置に取り付けるターゲット９１ｂは、塗布機構６３の塗布ローラー６３１のローラーシャフト又はカメラ等の所定の位置に取り付けるか、あるいはローラーシャフト又はカメラ等に所定の長さのポールを設置してその先端部に塗布用装置の底面に対し垂直に取り付ける。そして、ターゲット９１ｂの位置（Ｘ、Ｙ、Ｚ）を検出する。上記の条件でポールを設置した場合には、ポールの先端部のターゲット９１ｂの位置（Ｘ、Ｙ、Ｚ）において、ローラの位置のＸ、Ｚは、ポールの先端部のターゲット９１ｂの位置Ｘ、Ｚの値と一致し、Ｙはターゲット９１ｂのＹ値＋ポールの長さｌとなる。
【００６２】
また、自動追尾式測距測角儀９から視認するうえで、構造上ポール（ターゲット９１ｂ）を取り付ける位置を塗布ローラーのローラーシャフトやカメラの位置のＸ、Ｚからずれて取り付ける場合には、補修用装置にＸ又はＺ方向に対する方位角センサー、あるいは水平方向用の角度センサーを取り付けておく。例えば、補修用装置がＺ軸方向に対して角度を傾けた状態で補修する場合の補修位置を検出する場合、ローラーとポール（ターゲット９１ｂ）を取り付けた位置との距離ｌ0、ローラーから補修装置前方への垂直方向とポールとのずれ角をθ0とし、ターゲット測定点をＸ1、Ｙ1、Ｚ1とした場合、ローラーの位置Ｘ、Ｙ、ＺはＸ＝Ｘ1±ｌ0Ｃｏｓ（θ0＋θ）、Ｙ＝Ｙ0、Ｚ＝Ｚ1±ｌ0Ｓｉｎ（θ0＋θ）で求めることができる。
【００６３】
なお、この場合の基準点の取得は、例えば、自動追尾測距測角儀にＧＮＳＳアンテナを取り付けることにより、自動追尾測距測角儀の正確な位置を基準点として取得することができる。
【００６４】
以上の補修工程における塗布ユニットの位置を検出した値については、橋脚の壁面あるいは橋桁の下面が個々に持つ座標系で検出した値であるが、複数の橋脚の壁面あるいは橋桁の下面に設置したそれぞれの基準のターゲット９１ａの位置と、自動追尾式測距測角儀９との位置を測定しておくことにより、複数の橋脚の壁面あるいは橋桁の下面の位置検出の値を測量機の持つ座標系に変換することができ、統一座標系で、複数個所で検出した値を管理することもできる。
【００６５】
上記本実施形態によれば、補修用装置１の正確な三次元位置情報を取得することができ、補修の実施箇所を正確に検出して記録することが可能となる。
【００６６】
また、本発明の補修方法では、予め補修対象位置データを取得しておくことにより、補修作業を自動的に行うことができる。具体的には、予め補修対象の第１の位置データを取得しておくとともに、上記補修方法の位置データの検出方法により補修対象の第２の位置データを取得しておき、上記第１の位置データと上記第２の位置データとを照合し、補修対象に対して自動的に移動させる移動工程、スタンバイ工程及び補修工程を実行させることができる。
【００６７】
図１４に、補修対象に補修用装置１を移動させて補修する実施形態の作業フロー図を示す。本実施形態の補修方法では、少なくとも、データ取得工程、移動工程、スタンバイ工程、補修工程を実行する。
【００６８】
まず、データ取得工程では、予め、壁面の補修対象の位置を測定して第１の位置データとして取得するとともに、上記補修方法で説明した補修箇所の検出方法により、補修対象の位置を検出して第２の位置データとして取得する（Ｓ−１’）。
【００６９】
次に、補修用装置１の制御部４の補修材供給ユニット４３に、収容部４３１として補修材を充填したシリンジをセットし、移動体ユニット２の減圧吸着機構を作動させて、補修用装置１を垂直の壁面に吸着させてセットする（Ｓ−２’）。この際、予め取得しておいた補修対象の第１の位置データの基準点と、検出方法により得た補修用装置１の補修対象の第２の位置データの基準点を一致させ、この位置をホーミングしてゼロ点とする（Ｓ−３’）。
【００７０】
次の移動工程では、ＰＣのプログラムにより上記第１の位置データと上記第２の位置データとを照合させながら、補修対象に対して補修用装置１を自動的に移動させる（Ｓ−４’）。なお、移動体装置が補修対象に移動した段階でカメラ６１からの映像を視認し、第１の位置データと第２の位置データにずれが生じている場合には、コントローラーを用いて、塗布ローラー６３１位置を補正して、実際の補修対象に移動させる（Ｓ−５’）。そして、この位置に塗布ユニットをセットする（Ｓ−６’）。なお、これらの動作は、コンピュータの通信装置を介して無線通信によりＰＣ等から行う。
【００７１】
次に、スタンバイ工程として、その状態で塗布ユニット駆動機構７のＺ軸方向の操作により、塗布ユニット６のスキージ６４及び塗布ローラー６３１を壁面に押し付ける（Ｓ−７’）。
【００７２】
次に、補修工程として、補修材吐出ノズル６２から補修材を吐出させて塗布する。具体的には、図６に示すように、カメラ６１からの映像を確認しながら、コントローラーにより補修材供給ユニット４３にセットされたシリンジの押子を操作して補修材吐出ノズル６２から補修材を吐出させる（Ｓ−８’）。そして、塗布ユニット駆動機構７のＸ軸方向、Ｙ軸方向の操作により補修材を塗布ローラー６３１に馴染ませる（Ｓ−９’）。
【００７３】
そして、塗布工程として、ＰＣのプログラムにより上記第１の位置データと上記第２の位置データとを照合させながら、補修対象に対して補修用装置１を自動的に移動させて補修材を塗布、補修する（Ｓ−１０’）。なお、上記（Ｓ−５’）〜（Ｓ−１０’）の操作は、パソコンのプログラムに従って自動で行うことができる。
【００７４】
上記の工程により、塗布ユニット駆動機構７のＸ軸方向、Ｙ軸方向の可動範囲内の一度目の塗布が完了した段階で、塗布ユニット６のスキージ６４及び塗布ローラー６３１を壁面から離し、必要に応じて初期設定したゼロ点に塗布ユニット６を戻して、再度塗布作業を繰り返す（Ｓ−１１’）。この動作についても、ＰＣのプログラムに従い、或いはマニュアル操作により行うことができる。そして、その塗布ユニット駆動機構７の可動範囲の補修が完了してから、上記移動工程、スタンバイ工程、及び補修工程を繰り返す。これにより、本実施形態の補修方法による補修は完了する。
【００７５】
上記本発明の補修用装置１を用いた補修方法によれば、補修対象に対して確実に補修が可能となり、予め補修対象の位置データを取得しておくことにより、自動で補修を行うことができる。また、補修が完了した位置を検出して、データとして記録、管理することが可能となる。
【符号の説明】
【００７６】
１  補修用装置
２  移動体ユニット
２１  天板部
２２  転がりシール
２３  ブロワー
２４  電源ケーブル
３  補修ユニット
４  制御部
４１  電源ユニット
４２  制御用コンピュータ
４３  補修材供給ユニット
４３１  収容部
４３２  供給機構
４４  取付ブラケット
４５  取手
４６  ケーブルガイドポール
４７  排気ガード
４８  ベースプレート
５  補修部
５１  取手
５２  ケーブルキャリア
５３  ケーブルクランプバー
５４  ベースプレート
６  塗布ユニット
６１  カメラ
６２  補修材吐出ノズル
６３  塗布機構
６３１  塗布ローラー
６３２  チューブ状容器
６３３  スプレー缶
６４  スキージ
６５  スプリング
６６  チューブ絞り装置
６７  スプレー吹付け装置
６７１  自動噴霧装置部
７  塗布ユニット駆動機構
８１  カウンターウェイト
８２  支持アーム
８３  キャスター
９  自動追尾式測距測角儀
９１  ターゲット
【図１】
0006979426.tif 000002
【図２】
0006979426.tif 000003
【図３】
0006979426.tif 000004
【図４】
0006979426.tif 000005
【図５】
0006979426.tif 000006
【図６】
0006979426.tif 000007
【図７】
0006979426.tif 000008
【図８】
0006979426.tif 000009
【図９】
0006979426.tif 000010
【図１０】
0006979426.tif 000011
【図１１】
0006979426.tif 000012
【図１２】
0006979426.tif 000013
【図１３】
0006979426.tif 000014
【図１４】
0006979426.tif 000015